(57)【特許請求の範囲】
【請求項１】
下面に開口した吸込口を有する本体ケースと、この本体ケースに接続される接続管とを備えた電気掃除機の吸込具において、
前記本体ケースは、上ケースと下ケースとを有し、
前記下ケースに前記吸込口が形成され、
前記上ケースの前端には下方に突出する複数の第１のリブを備え、
前記下ケースの前端には前記複数の第１のリブが係止される第１の被係止部を備え、
前記第１のリブは前後方向に扁平な板状体であり、
前記第１の被係止部は、前記第１のリブの両端部、及びこれらに連なる後面の少なくとも一部を覆う一対の側部被係止部と、前記第１のリブの下端と当接若しくは近接して対向する底部被係止部とを備えた、
電気掃除機の吸込具。
【請求項２】
前記複数の第１のリブに前後方向の変形を抑制する補強リブを備えたことを特徴とする請求項１記載の電気掃除機の吸込具。
【請求項３】
前記上ケースの前端には下方に突出する第２のリブを備え、
前記第２のリブには爪部が形成され、
前記下ケースの前端には前記爪部が係止される第２の被係止部を備えたことを特徴とする請求項１または２記載の電気掃除機の吸込具。
【請求項４】
前記第２のリブを前記第１のリブと異なる位置に配置したことを特徴とする請求項３記載の電気掃除機の吸込具。
【請求項５】
前記下ケースの前端下端に、後方に向かって垂れ下がる垂下部を備えることを特徴とする請求項１乃至４のいずれか１項に記載の電気掃除機の吸込具。
【請求項６】
前記垂下部は、前記第１の被係止部と異なる位置に配置したことを特徴とする請求項５記載の電気掃除機の吸込具。
【請求項７】
前記垂下部を、前記接続管の前記本体ケース側への開口の前方に配置したことを特徴とする請求項５または６記載の電気掃除機の吸込具。
【請求項８】
下面に開口した吸込口を有する本体ケースと、この本体ケースに接続される接続管とを備えた電気掃除機の吸込具において、
前記本体ケースは、上ケースと下ケースとを有し、
前記下ケースに前記吸込口が形成され、
前記上ケースの前端には下方に突出する複数の第１のリブと下方に突出する第２のリブとを備え、
前記第１のリブは前後方向に扁平な板状体であり、
前記第２のリブには爪部が形成され、
前記下ケースの前端は二重壁により形成されるとともに、前記二重壁間に上下方向に延在して前記二重壁間を複数仕切る仕切り部を備え、
前記下ケースの前端には、前記爪部が係止される被係止部を備え、
前記複数の第１のリブが前記仕切り部により複数仕切られる前記二重壁の間に挿入されるとともに、前記複数の第１のリブの横幅が前記仕切り部により複数区切られる前記二重壁の横幅と略同じであり、前記二重壁が前記第１のリブの下端と当接若しくは近接して対向する二重壁底部を有することを特徴とする電気掃除機の吸込具。
【請求項９】
請求項１乃至８のいずれか１項に記載の電気掃除機の吸込具と、この吸込具に接続され、吸引風を発生する電動送風機、前記電動送風機により吸引される塵埃を貯留する集塵部を内蔵する掃除機本体と、を備えた電気掃除機。
【発明の詳細な説明】
【技術分野】
【０００１】
本発明は、電気掃除機の吸込具に係り、特に、吸込具を軽量化しても強度の低下を抑制する電気掃除機の吸込具に関するものである。
【背景技術】
【０００２】
従来，電気掃除機の吸込具の吸口本体（本体ケース）は、吸口上ケース（上ケース）と吸口下ケース（下ケース）とから構成される。図１５は従来の電気掃除機吸込具の吸口下ケースの例であり、吸込具の吸口本体の強度を確保するために、吸口下ケースの強度を高めている。具体的には、補強架部６６が、前側縁枠部６４と後側縁枠部６８とに架けるように設けられる。前側縁枠部６６は窓開口６３に沿って長く延びているので、吸口上ケース９の上から押されると容易に撓む。しかし、前側縁枠部６４は補強架部６６により梁のように支持されるので、吸口上ケース９の上から押されても容易に撓まない。このように、補強架部６６を後側縁枠部６８から前側縁枠部６４に架ける簡単な構成により、機械的強度の強い構造となっている（特許文献１参照。）。
【先行技術文献】
【特許文献】
【０００３】
【特許文献１】特許第４６０７６８３号公報（第４、５頁、図５）
【発明の概要】
【発明が解決しようとする課題】
【０００４】
上記の電気掃除機の吸込具においては，吸口下ケースの強度を高めることにより吸口体全体の強度を確保しようとするものである。吸口下ケースの強度を高めるために補強架部といった部材が必要となり、また、部材の厚さを大きくすることも必要となるので、吸口下ケースの重量が増加し、ひいては吸口体の重量が増加するという課題があった。
【０００５】
本発明は、上記の問題を解決するためになされたもので、重量の増加を抑制しながら必要な強度を確保する電気掃除機の吸込具及びこれを用いた電気掃除機を提供することを目的とする。
【課題を解決するための手段】
【０００６】
本発明に係わる電機掃除機の吸込具は、下面に開口した吸込口を有する本体ケースと、この本体ケースに接続される接続管とを備えた電気掃除機の吸込具において、本体ケースは、上ケースと下ケースとを有し、下ケースに吸込口が形成され、上ケースの前端には下方に突出する複数の第１のリブを備え、下ケースの前端には複数の第１のリブが係止される第１の被係止部を備え、第１のリブは前後方向に扁平な板状体であり、第１の被係止部は、第１のリブの両端部、及びこれらに連なる後面の少なくとも一部を覆う一対の側部被係止部と、第１のリブの下端と当接若しくは近接して対向する底部被係止部とを備えたものである。
【０００７】
また、下面に開口した吸込口を有する本体ケースと、この本体ケースに接続される接続管とを備えた電気掃除機の吸込具において、本体ケースは、上ケースと下ケースとを有し、下ケースに前記吸込口が形成され、上ケースの前端には下方に突出する複数の第１のリブと下方に突出する第２のリブとを備え、第１のリブは前後方向に扁平な板状体であり、第２のリブには爪部が形成され、下ケースの前端は二重壁により形成されるとともに、二重壁間に上下方向に延在して二重壁間を複数仕切る仕切り部を備え、下ケースの前端には、爪部が係止される被係止部を備え、複数の第１のリブが仕切り部により複数仕切られる二重壁の間に挿入されるとともに、複数の第１のリブの横幅が仕切り部により複数区切られる二重壁の横幅と略同じであり、二重壁が第１のリブの下端と当接若しくは近接して対向する底部を有するものである。
【発明の効果】
【０００８】
本発明に係わる電気掃除機の吸込具は、上ケースに加わる荷重が、上ケースに形成された複数の第１のリブ、及び、下ケースに形成された複数の第１の被係止部を介して下ケースに加わるので、荷重が分散され、軽量で必要な強度を確保する吸込具及びこれを用いた電気掃除機を得ることができる。
【図面の簡単な説明】
【０００９】
【図１】本発明の実施の形態１における電気掃除機の斜視図である。
【図２】本発明の実施の形態１における電気掃除機の吸込具の斜視図である。
【図３】本発明の実施の形態１における電気掃除機の吸込具の分解斜視図である。
【図４】図３における電気掃除機の吸込具の接続管の平面図（継手管カバーを外した状態）である。
【図５】図２に示す継手管カバーの斜視図である。
【図６】本発明の実施の形態１における電気掃除機の吸込具の分解斜視図（上ケース及び下ケースを外した状態）である。
【図７】本発明の実施の形態１における電気掃除機の吸込具の冷却風路を説明する図である。
【図８】本発明の実施の形態１における電気掃除機の吸込具を下から見た分解斜視図である。
【図９】本発明の実施の形態１における電気掃除機の吸込具の上ケースを下から見た斜視図である。
【図１０】本発明の実施の形態１における電気掃除機の吸込具の下ケースを上から見た斜視図である。
【図１１】本発明の実施の形態１における電気掃除機の吸込具の下ケースの平面図である。
【図１２】本発明の実施の形態１における電気掃除機の吸込具の爪部の動作を説明するための断面図である。
【図１３】本発明の実施の形態１における電気掃除機の吸込具の垂下部の構成を説明するための断面図である。
【図１４】本発明の実施の形態２における電気掃除機の吸込具の下ケースを上から見た斜視図である。
【図１５】従来の電気掃除機の吸込具の継手菅の平面図（継手管カバーを外した状態）である。
【発明を実施するための形態】
【００１０】
実施の形態１．
図１は実施の形態１における電気掃除機の斜視図を示す。図２は本発明の実施の形態１における電気掃除機の吸込具の斜視図である。図３は本発明の実施の形態１における電気掃除機の吸込具の分解斜視図である。図４は図３における電気掃除機の吸込具の接続管の平面図（継手管カバーを外した状態）である。図５は、継手管カバーの斜視図である。図６は本発明の実施の形態１における電気掃除機の吸込具の分解斜視図（上ケース及び下ケースを外した状態）である。図７は本発明の実施の形態１における電気掃除機の吸込具の冷却風路を説明する図である。図８は本発明の実施の形態１における電気掃除機の吸込具を下から見た分解斜視図である。図９は本発明の実施の形態１における電気掃除機の吸込具の上ケースを下から見た斜視図である。
図１０は本発明の実施の形態１における電気掃除機の吸込具の下ケースを上から見た斜視図である。図１１は本発明の実施の形態１における電気掃除機の吸込具の下ケースの平面図である。図１２は本発明の実施の形態１における電気掃除機の吸込具の爪部の動作を説明するための断面図である。図１３は本発明の実施の形態１における電気掃除機の吸込具の垂下部の構成を説明するための断面図である。なお、各図において同じ部分にはこれと同じ符号を付している。
【００１１】
以下、図１から図１３を用いて説明する。
電気掃除機１は、電気掃除機本体２と、これに一端が接続されるホース３と、このホース３の他端に一端が接続されるパイプ４と、このパイプ４の他端に接続される吸込具５とから構成される。
電気掃除機本体２には、電源コード（図示せず）により商用電源から供給される電力により吸引風を発生する電動送風機（図示せず）や、この電動送風機により被掃除面である床面などから塵埃とともに吸引された吸引風の中の塵埃を貯留する集塵部（図示せず）が内蔵される。
ホース３の他端側には操作者が把持して電気掃除機１を引き回す手元部３ａが設けられ、手元部３ａには、電動送風機の駆動開始、停止、出力の調整などを行う操作部３ｂが設けられる。
【００１２】
図２に示すように、吸込具５は、本体ケース６と、本体ケース６に回動可能に接続される接続管１０とを備え、パイプ４の他端が接続管１０の一端と接続される。後述するように、接続管１０は回動管１１と継手管１２０とから構成される。以後、図２に示す矢印で、上下前後左右の方向を定義する。
【００１３】
（本体ケース）
図３に示すように、吸込具５の本体ケース６は、上ケース６１、下ケース６２から構成される。後述するように、下ケース６２に基板ホルダー６３、ブラシモーター６３ａ、軸受ＢＯＸ６５、回転ブラシ６４などが装着される。本体ケース６は、下面に開口した吸込口６２ｃが形成され、吸込口６２ｃに臨んで回転ブラシ６４が回転可能に配設される。回転ブラシ６４を回転駆動するブラシモーター６３ａも本体ケース６内に配設される。
【００１４】
（基板ホルダー、ブラシモーター）
基板ホルダー６３には、制御部６３ｃが固定される。
ブラシモーター６３ａには軟質カバー６３ｄが装着され、ブラシモーター６３ａの振動がブラシモーター６３ａを支持する部材へ伝わるのを抑制する（図６参照）。ブラシモーター６３ａと制御部６３ｃとの間は、後述する回動管１１の円筒部１１ｃが挿入されるように隔てられている。ブラシモーター６３ａは、ベルト（図示せず）を介して回転ブラシ６４を回転駆動する。
【００１５】
ここで、ブラシモーター６３ａと回転ブラシ６４とは、軸受部６５ａを有し回転ブラシ６４のベルトの掛かる側の端部を係止する軸受ＢＯＸ６５により接続される。ブラシモーター６３ａの回転軸６３ｂの先端は軸受部６５ａに挿入され、回転自在に軸支される。軸受ＢＯＸ６５のブラシモーター６３ａ側の端部は、軟質カバー６３ｄの外周を覆って、軸受ＢＯＸ６５内のブラシモーターの冷却風路をシールする。
【００１６】
図７（ａ）は、軸受ＢＯＸ６５の上方付近の上ケース６１の部分斜視図を示す。図７（ｂ）は、図７（ａ）の上ケース６１の上面の一部をカットした図である。図７（ａ）に示すように、軸受ＢＯＸ６５の上方付近には、ブラシモーター６３ａを冷却するための第１の冷却用孔６１ｈが３個形成されている。また、ベルトやブラシモーター６３ａの回転軸６３ｂに固定されたピニオンギアを冷却するための第２の冷却用孔が２個形成されている。図７（ｂ）に示すように、第１の冷却用孔６１ｈから吸気された冷却風Ａは、ブラシモーター６３ａの前方からブラシモーター６３ａに入り、ブラシモーター６３ａを冷却する。また、一方では、第２の冷却用孔６１ｉを通って、軸受ＢＯＸ６５の上方から軸受ＢＯＸ６５内に吸気された冷却風Ｂが、ピニオンギアとベルト室（軸受ＢＯＸ６５内でベルトが収容される空間）に入り、ギアとベルトを冷却する。
【００１７】
軸受ＢＯＸ６５は耐熱性の高い樹脂で構成され、例えば、ポリブチレンテレフタレート（ＰＢＴ）樹脂が用いられる。軸受ＢＯＸ６５を箱状の一部品で構成することで、従来のブラシモーター軸受部と、回転ブラシ軸受部とを別々に固定していた構成と比較し、組立のバラツキや成形のバラツキを押さえ、ブラシモーター６３ａと回転ブラシ６４との軸間距離を保つことができる。
【００１８】
制御部６３ｃは、電気掃除機本体２からホース３、パイプ４、継手管１２０、回動管１１を経由して電力が供給されるとともに、手元部３ａに設けられた操作部３ｂで操作された指令に基づく制御信号が制御部６３ｃへ送信される。制御部６３ｃからブラシモーター６３ａへ制御信号に基づき調整された電力が供給される。
【００１９】
（上ケース）
上ケース６１は下面が開口した蓋状体であり、前端には下方に突出する４個の第１のリブ６１ａが形成される。第１のリブ６１ａは前後方向に扁平な板状体である。第１のリブ６１ａの後面の両端部の根元部には、第１のリブ６１ａの前後方向の変形を抑制して強度を高める一対の補強リブ６１ａ１が形成される。さらに、第１のリブ６１ａの間、または外側に、爪部６１ｂ１（図１２参照）を供えた３個の第２のリブ６１ｂが形成される。つまり、第２のリブ６１ｂは第１のリブ６１ａと異なる位置（重ならない位置）に配置される。爪部６１ｂ１は第２のリブ６１ｂの前方に突出するように形成される。後端の中央には、回動管１１の円筒部１１ｃが挿入されるように切込み部６１ｃが形成されている（図３、図９参照）。また、上ケース６１の後部の両端には、内部にネジ穴が形成されたボス６１ｄ、６１ｅが形成される。さらに、上ケース６１の切込み部６１ｃの下端両端にも、内部にネジ穴が形成されたボス６１ｆ、６１ｇが形成される。
【００２０】
上ケース６１は基板ホルダー６３、ブラシモーター６３ａ、軸受ＢＯＸ６５、回転ブラシ６４を上から覆い、上ケース６１の後部両端のボス６１ｄ、６１ｅと後述する下ケース６２の後部両端のボス６２ｊ、６２ｋとでネジにより固定される。さらに、上ケース６１の後部の切込み部６１ｃ下端のボス６１ｆ、６１ｇと後述する下ケース６２の円筒部収容部６２ｈの後端の両端のボス６２L、６２ｍとでネジにより固定される。また、上ケース６１の前端下部と下ケース６２の前端上部とは、上ケース６１の複数の第１のリブ６１ａと後述する下ケースの複数の第１の被係止部６２ｄとで、及び、上ケース６１の複数の第２のリブ６１ｂの爪部６１ｂ１と下ケース６２の複数の第２の被係止部６２ｅとにより係止される。
【００２１】
（下ケース）
下ケース６２は図１１に示すように、横長の枠状体であり、横長の吸込口６２ｃが形成されている。また、図８に示すように、回転ブラシ６４の両端の軸受部６４ａ、６４ｂが下ケース６２の下側から下ケース６２へ着脱自在に装着される。さらに、回転ブラシ６４の両側に回転ブラシカバー６６ａ、６６ｂが回転ブラシ６４の下方から着脱自在に装着され、回転ブラシ６４が下ケース６２から抜け落ちるのを防止する。また、後述する回動管１１の先端部である円筒部１１ｃの両側に形成された一対の横向きの軸部１１ａ、１１ｂ（図４参照）を軸支する一対の受け部６２ａ、６２ｂが下ケース６２に形成される。一対の受け部６２ａ、６２ｂの間に、回動管１１の円筒部１１ｃが収容される円筒部収容部６２ｈが形成される。
【００２２】
図１０に示すように、円筒部収容部６２ｈの右側に、制御部６３ｃが収容される制御部収容部６２ｆが形成される。円筒部収容部６２ｈの左側に、ブラシモーター６３ａが収容されるブラシモーター収容部６２ｇが形成される。円筒部収容部６２ｈの前方で、制御部収容部６２ｆとブラシモーター収容部６２ｇとを連通するコ字形状のリード線渡し部６２ｉ
が形成される。リード線渡し部６２ｉは制御部６３ｃからブラシモーター６３ａへ電力を供給するリード線１３０が収容されて渡される。また、下ケース６２の後部の両端には、ボス６２ｊ、６２ｋが形成され、ボス６２ｊ、６２ｋの下から挿通されたネジが上ケースのボス６１ｄ、６１ｅにネジ止めされる。さらに、円筒部収容部６２ｈの後端の両端にも、ボス６２Ｌ、６２ｍが形成され、ボス６２Ｌ、６２ｍの下から挿通されたネジが上ケースのボス６１ｆ、６１ｇにネジ止めされる（図９参照）。また、下ケース６２の前部には、長手方向にコ字状のバンパー６２１が取り付けられる（図３参照）。
【００２３】
上ケース６１の４個の第１のリブ６１ａに対応して、下ケース６２の前端の裏面に４個の第１の被係止部６２ｄが形成される（図１０参照）。第１の被係止部６２ｄは、それぞれ、上ケース６１と下ケース６２とが係止された状態で、第１のリブ６１ａの両端部、及びこれらに連なる後面の少なくとも一部を覆う一対の側部被係止部６２ｄ１と、第１のリブ６１ａの下端と当接して対向する底部被係止部６２ｄ２が形成される。なお、底部被係止部６２ｄ２は第１のリブ６１ａの下端と近接して対向するように形成してもよい。上ケース６１と下ケース６２とが係止された状態では、一対の補強リブ６１ａ１が一対の側部被係止部６２ｄ１の内側に入るように一対の補強リブ６１ａ１の間隔が決められる。したがって、上ケース６１と下ケース６２とが係止されたときに、補強リブ６１ａ１が側部被係止部６２ｄ１と圧入ぎみになったとしても、装着できる。
【００２４】
また、上ケース６１の３個の第２のリブ６１ｂに対応して、下ケース６２の前端の裏面に３個の第２の被係止部６２ｅが形成される（図１０参照）。つまり、３個の第２のリブ６１ｂの間に第２の被係止部６２ｅは、それぞれ第２のリブ６１ｂに形成された爪部６１ｂ１が係止される孔部６２ｅ１が形成される。
【００２５】
また、下ケース６２の前端下端に、後方に向かって垂れ下がる５個の垂下部６２２ａ、６２２ｂ、６２２ｃ、６２２ｄ、６２２ｅが形成される（図８参照）。各垂下部６２２の断面形状は、図１３に示すように、後方に向かって、略Ｌ字形状に形成される。なお、円弧状に形成してもよい。中央の垂下部６２２ｃは他の垂下部よりも幅広に形成され、後述する回動管１１の円筒部１１ｃの前面開口の前方に配置される（図１１参照。）。
【００２６】
（接続管）
図４に示すように、接続管１０は、回動管１１と継手管１２０から構成される。接続管１０には後述する複数のリード線１３０が挿通され、掃除機本体２から接続管１０を経由してブラシモーターへ電力が供給される。
【００２７】
（回動管）
回動管１１は円筒部１１ｃ、直管部１１ｄ及びフランジ部１１ｅとを備える。円筒部１１ｃの両端には、本体ケース６側（一側）の端部に横向き（本体ケース６の長手方向）の軸部１１ａ、１１ｂ（図４参照）が形成される。これらの軸部１１ａ、１１ｂをそれぞれ軸支する受け部６２ａ、６２ｂが本体ケース側に形成される（図３参照）。その結果、回動管１１はこの軸部１１ａ、１１ｂの周りに上下方向に回動自在に軸支される。フランジ部１１ｅは後述する継手管１２０と接続される部分である。
【００２８】
（継手管）
継手管１２０は回動管１１の他側に接続され、回動管１１の他側のフランジ部１１ｅの端面に沿って周方向に回動自在に軸支される。継手管１２０はパイプ４の他側（吸込具側）と接続される円筒状のパイプ接続部１２１と、回動管接続部１２２を有する。パイプ接続部１２１にはパイプ４の他側（吸込具側）に挿入される開口１２１ａが形成される。パイプ接続部１２１の回動管１１と接続される端側には、円筒状の内筒部１２３ａ及び内筒部１２３ａと空間を隔てて略半円筒の外筒部１２３ｂとが形成される。内筒部１２３ａ及び外筒部１２３ｂが回動管１１の他側（継手管側）に形成される筒部（図示せず）と嵌合することにより、継手管１２０は内筒部１２３ａ及び外筒部１２３ｂの中心軸周りに回動する。
【００２９】
パイプ接続部１２１と回動管接続部１２２との間の外面に立壁１２５が立設され、立壁１２５には、リード線１３０ａ及び１３０ｂの端子１３１ａ、１３１ｂが挿通される端子孔１２５ａ、１２５ｂが穿設される。
回動管接続部１２２は、立壁１２５の両端と連なるように一対の側壁１２４ａ、１２４ｂが回動管接続部１２２の外面に立設される。立壁１２５、一対の側壁１２４ａ、１２４ｂ、内筒部１２３ａの立壁１２５側に対向する外面及び底面１２６により、リード線収容部１４０を構成する。
【００３０】
リード線１３０ａ、１３０ｂは、立壁１２５の端子孔１２５ａ、１２５ｂ（継手管引込口）側からリード線収容部１４０に引き込まれ、側壁１２４ａとこれに対向する内筒部１２３ａとの間（継手管引出口１２８）から回動管１１を経由して吸込具５の本体ケース６側へ引き出される。
リード線収容部１４０には、継手管引込口１２５から継手管引出口１２８へのリード線１３０の引き回しを規制するリード線規制リブ１２７が底面１２６の外面で、対向する一対の側壁１２４ａ、１２４ｂのうち、側壁１２４ｂ側、すなわち、継手管引出口１２８と反対側に立設される。リード線規制リブ１２７は一対のリード線保持部１２７ａ、１２７ｂが底面１２６から立設され、リード線１３０ａ、１３０ｂはリード線保持部１２７ａ、１２７ｂの間に挟持されて保持される。
【００３１】
継手管カバー１５０は下面に開口した蓋状体であり、前端（回動管１１側）には回動管１１のフランジ部１１ｅと対向する円弧状の前端部１５１が形成される。両側には、継手管１２０の側壁１２４ａ及び１２４ｂとそれぞれ当接する側部１５２ａ及び１５２ｂが形成される。後端（パイプ４側）には、継手管１２０の立壁１２５の両側部及び頂部とそれぞれ当接する側辺部１５３ａ、１５３ｂ及び上辺部１５３ｃが形成される（図５参照）。
【００３２】
次に、動作について説明する。
電気掃除機本体２に内蔵された電源コードをコンセントに接続し、手元部３ａに設けられた操作部３ｂを操作することにより、電気掃除機本体２内の電動送風機が駆動され、吸引風が発生する。この吸引風により、被掃除面である床面等から塵埃とともに空気が、吸込具５の本体ケース６の下面の吸引口６２ｃから、接続管１０（回動管１１、継手管１２０）、パイプ４、ホース３を経由して電気掃除機本体２に取り込まれる。電気掃除機本体２に取り込まれた塵埃を含む空気は、塵埃が集塵室に貯留され、塵埃の除去された空気が電気掃除機本体から排出される。
【００３３】
操作部３ｂで電動送風機を駆動する操作を行うと、吸込具５の本体ケース６内に配設された回転ブラシ６４を回転駆動して、被掃除面の塵埃を掻きあげるように、回転ブラシ６４を駆動するブラシモーター６３ａへ電力が供給される。この電力は、電気掃除機本体２からホース３、パイプ４、継手管１２０、回動管１１、吸込具５の本体ケース３内に配設される、ブラシモーター６３ａを制御する制御部６３ｃを経由してブラシモーター６３ａへ供給される。
【００３４】
掃除をする際に、使用者が手元部３ａを把持して被掃除面上を吸込具５を移動させる。吸込具５を移動すると壁や家具に衝突することがあり、吸込具５に前後、上下、左右方向から衝突による荷重が加わる。また、吸込具５を誤って落下させると、落下衝撃による荷重か加わる。
【００３５】
上ケース６１の前端下方に形成された４個の第１のリブ６１ａが下ケース６２の前端上部に形成された４個の第１の被係止部６２ｄに係止される。第１のリブ６１ａの下端が第１の被係止部６２ｄの底部被係止部６２ｄ２と当接するので、上ケース６１ａに対し上方から加わった荷重は、複数の第１のリブ６１ａから複数の第１の被係止部６２ｄへ伝達される。このように、荷重が上ケース６１と下ケース６２とに分散されて、上方からの荷重による上ケース６１及び下ケース６２の変形が低減され、壊れにくくなるという意味で強度が高まる。さらに、上ケース６１を下ケース６２に固定して本体ケース６を組み立てるときに、第１の被係止部６２ｄが第１のリブ６１ａの位置決めの目安となるので、組み立て性、組み立て効率が改善される。
【００３６】
なお、底部被係止部６２ｄ２が第１のリブ６１ａの下端と近接して対向するように形成される場合は、上方からの荷重により上ケース６１が下方に変形したときに、第１のリブ６１ａの下端が第１の被係止部６２ｄの底部被係止部６２ｄ２と当接するので、上記と同様に、上ケース６１ａに対し上方から加わった荷重は、複数の第１のリブ６１ａから複数の第１の被係止部６２ｄへ伝達され、荷重が上ケース６１と下ケース６２とに分散されて、上方からの荷重による上ケース６１及び下ケース６２の変形が低減され、壊れにくくなる。このように、上ケース６１及び下ケース６２の変形が低減されるという意味で必要な強度が確保される。
【００３７】
また、第１の被係止部６２ｅの一対の側部被係止部６２ｄ１が第１のリブ６１ａの両端部、及びこれらに連なる後面の少なくとも一部を覆うので、上ケース６１に対し前後方向から加わった荷重は、複数の第１のリブ６１ａから複数の第１の被係止部６２ｄへ伝達される。このように、荷重が上ケース６１と下ケース６２とに分散されて、前後方向からの荷重による上ケース６１及び下ケース６２の変形が低減され、壊れにくくなる。
なお、上ケース６１に対し左右方向から荷重が加わった場合でも、複数の第１のリブ６１ａから複数の第１の被係止部６２ｄへ伝達される。ここで、第１のリブ６１ａの両側丹部と側部被係止部６２ｄ１との隙間は小さい方が望ましい。このように、荷重が上ケース６１と下ケース６２とに分散されて、左右方向からの荷重による上ケース６１及び下ケース６２の変形が低減され、壊れにくくなる。
【００３８】
また、第１のリブ６１ａは前後方向に扁平な板状体であり、第１のリブ６１ａの後面の両端部の根元部には、第１のリブ６１ａの前後方向の変形を抑制して強度を高める一対の補強リブ６１ａ１が形成されるので、第１のリブ６１ａに対し前後方向から荷重が加わっても補強リブ６１ａ１が第１のリブ６１ａの変形を抑制し、強度が高まる。
【００３９】
また、上ケース６１または下ケース６２に対し、両者を離間する方向の荷重が加わっても、第２のリブ６１ｂの爪部６１ｂ１が下ケース６２の前端の裏面に形成された第２の被係止部６２ｅの孔部６２ｅ１に係止されるので、上ケース６１と下ケース６２とが離間するのを防止する。
【００４０】
また、第２のリブ６１ｂを第１のリブ６１ａと異なる位置に配置したので、両者が干渉することがない。その結果、両者の設計の自由度が高まる。
【００４１】
また、下ケース６２の前端下端に、後方に向かって垂れ下がる５個の垂下部６２２ａ、６２２ｂ、６２２ｃ、６２２ｄ、６２２ｅが形成されるので、垂下部６２２がない場合と比較し、枠状体である下ケース６２の剛性が高まる。
また、垂下部６２２を、第１の被係止部６２ｄと異なるに配置したので、垂下部６２２と第１の被係止部６２ｄとが干渉することなく配置できる。その結果、両者の設計の自由度が高まる。
また、電気掃除機本体２に内蔵される電動送風機の駆動音が、ホース３、パイプ４内を通り、吸込具５内に伝達されるが、中央の垂下部６２２ｃを回動管１１の円筒部１１ｃの前面開口（本体ケース６側への開口）の前方に配置したので、振動音が吸込具５の前方の空間に伝わるのを抑制できる。
【００４２】
なお、上記実施の形態１では、上ケース６１に荷重が加わる場合の例を説明したが、下ケース６２に荷重が加わる場合も、上ケース６１に荷重が分散され、軽量で必要な強度を確保する吸込具及びこれを用いた電気掃除機を得ることができる。
【００４３】
また、上ケース６１に第１のリブ６１ａを設け、下ケース６２に第１の被係止部６２ｄを設けたが、下ケース６２に第１のリブ６１ａを設け、上ケース６１に第１の被係止部６２ｄを設けてもよい。
同様に、上ケース６１に第２のリブ６１ｂを設け、下ケース６２に第２の被係止部６２ｅを設けたが、下ケース６２に第２のリブ６１ｂを設け、上ケース６１に第２の被係止部６２ｅを設けてもよい。
【００４４】
このように、実施の形態１の電気掃除機の吸込具によれば、下面に開口した吸込口を有する本体ケースと、この本体ケースに接続される接続管とを備えた電気掃除機の吸込具において、本体ケースは、上ケースと下ケースとを有し、下ケースに吸込口が形成され、上ケースの前端には下方に突出する複数の第１のリブを備え、下ケースの前端には複数の第１のリブが係止される第１の被係止部を備え、第１のリブは前後方向に扁平な板状体であり、第１の被係止部は、第１のリブの両端部、及びこれらに連なる後面の少なくとも一部を覆う一対の側部被係止部と、第１のリブの下端と当接若しくは近接して対向する底部被係止部とを備えたので、上ケースに加わる荷重が、上ケースに形成された複数の第１のリブ、及び、下ケースに形成された複数の第１の被係止部を介して下ケースに加わるので、荷重が分散され、軽量で必要な強度を確保する吸込具及びこれを用いた電気掃除機を得ることができる。
【００４５】
例えば、従来の下ケースの強度を高める場合と比較し、下ケース６２単品では肉厚２ｍｍ未満に抑え、下ケース６２の使用プラスチック量も最少にし、デザイン上必要になる上ケース６１と噛み合せることにより、前方からの衝撃による荷重、横方向からの衝撃による荷重、落下衝撃による荷重等に耐えうる吸込具としての必要で十分な強度を確保することができる。
【００４６】
また、複数の第１のリブに前後方向の変形を抑制する補強リブを備えたので、第１のリブに対し前後方向から荷重が加わっても補強リブが第１のリブの変形を抑制し、強度が高まる。
【００４７】
また、上ケースの前端には下方に突出する第２のリブを備え、第２のリブには爪部が形成され、下ケースの前端には爪部が係止される第２の被係止部を備えたので、爪部が第２の被係止部と係止されることにより上ケースの前端が下ケースの前端と上下方向に離間するのを防止する。
【００４８】
また、第２のリブを第１のリブと異なる位置に配置したので、両者が干渉することがなく、両者の設計の自由度が高まる。
【００４９】
また、下ケースの前端下端に、後方に向かって垂れ下がる垂下部を備えたので、下ケースの剛性が高まる。
【００５０】
また、垂下部を、第１の被係止部と異なる位置に配置したので、垂下部と第１の被係止部とが干渉することなく配置でき、両者の設計の自由度が高まる。
【００５１】
さらに、垂下部を、接続管の本体ケース側への開口の前方に配置したので、掃除機本体側から伝わる騒音が吸込具から前方に伝わるのを抑制できる。
【００５２】
実施の形態２．
図１４は、実施の形態２における電気掃除機の吸込具の下ケースを上から見た斜視図である。実施の形態１と構成が異なる点は、吸込具５の下ケース６２の前端が二重壁６２３により形成されるとともに、二重壁６２３間に上下方向に延在して二重壁６２３間を複数仕切る仕切り部６２４を備え、複数の第１のリブが仕切り部６２４により複数仕切られる二重壁６２３の間に挿入されるともに、複数の第１のリブ６１ａの横幅が仕切り部６２４により複数区切られる二重壁６２３の横幅と略同じであり、二重壁６２３が第１のリブ６１ａの下端と当接若しくは近接して対向する二重壁底部（図示せず）を有する点である。
【００５３】
二重壁６２３の内の前方側の壁は、実施の形態１における下ケース６２の前端の壁に相当する。二重壁６２３の内の前方側の壁は、実施の形態１における第１の被係止部６２ｄの側部被係止部６２ｄ２について、下ケース６２の前端の壁と平行な後端部を左右方向に延設して、１枚の壁を形成したものと同等である。また、仕切り部６２４は、実施の形態１における第１の被係止部６２ｄの側部被係止部６２ｄ１について、下ケース６２の前端の壁と直交する部分に相当する。さらに、二重壁底部は、実施の形態１における第１の被係止部６２ｄの底部被係止部６２ｄ２に相当する。
【００５４】
実施の形態１と同様に、上ケース６１の前端下方に形成された４個の第１のリブ６１ａが下ケース６２の二重壁６２３の間に形成された仕切り部６２４で仕切られた部分に挿入され、第１のリブ６１ａの下端が二重壁底部と当接するので、上ケース６１ａに対し上方から加わった荷重は、複数の第１のリブ６１ａから二重壁底部へ伝達される。このように、荷重が上ケース６１と下ケース６２とに分散されて、上方からの荷重による上ケース６１及び下ケース６２の変形が低減され、壊れにくくなるという意味で強度が高まる。
【００５５】
なお、第１のリブ６１ａの下端が二重壁底部と近接して対向するように形成される場合は、上方からの荷重により上ケース６１が下方に変形したときに、第１のリブ６１ａの下端が二重壁底部と当接するので、上記と同様に、上ケース６１ａに対し上方から加わった荷重は、複数の第１のリブ６１ａから二重壁底部へ伝達され、荷重が上ケース６１と下ケース６２とに分散されて、上方からの荷重による上ケース６１及び下ケース６２の変形が低減され、壊れにくくなる。
【００５６】
また、上ケース６１の前端下方に形成された４個の第１のリブ６１ａが下ケース６２の二重壁６２３の間に形成された仕切り部６２４で仕切られた部分に挿入され、第１のリブ６１ａは前後方向に扁平な板状体であるから、上ケース６１に対し前後方向から加わった荷重は、複数の第１のリブ６１ａから二重壁６２３へ伝達される。ここで、第１のリブ６１ａの前後方向の暑さが二重壁６２３の前後方向の間隔と略同一であることが望ましい。このように、荷重が上ケース６１と下ケース６２とに分散されて、前後方向からの荷重による上ケース６１及び下ケース６２の変形が低減され、壊れにくくなるという意味で強度が高まる。
【００５７】
また、複数の第１のリブ６１ａの横幅が仕切り部６２４により複数区切られる二重壁６２３の横幅と略同じであるので、上ケース６１に対し左右方向から荷重が加わった場合でも、複数の第１のリブ６１ａから仕切り部６２４へ伝達される。このように、荷重が上ケース６１と下ケース６２とに分散されて、左右方向からの荷重による上ケース６１及び下ケース６２の変形が低減され、壊れにくくなる。
【００５８】
また、下ケース６２の前端を二重壁６２３で形成したので、１枚の壁で構成した場合と比較し、枠状体である下ケース６２の剛性が高まる。
【００５９】
このように、実施の形態２の電気掃除機の吸込具によれば、下面に開口した吸込口を有する本体ケースと、この本体ケースに接続される接続管とを備えた電気掃除機の吸込具において、本体ケースは、上ケースと下ケースとを有し、下ケースに吸込口が形成され、上ケースの前端には下方に突出する複数の第１のリブを備え、第１のリブは前後方向に扁平な板状体であり、下ケースの前端は二重壁により形成されるとともに、二重壁間に上下方向に延在して前記二重壁間を複数仕切る仕切り部を備え、複数の第１のリブが仕切り部により複数仕切られる二重壁の間に挿入されるともに、複数の第１のリブの横幅が仕切り部により複数区切られる二重壁の横幅と略同じであり、二重壁が第１のリブの下端と当接若しくは近接して対向する二重壁底部を有するので、上ケースに加わる荷重が、上ケースに形成された複数の第１のリブ、及び、下ケースに形成された二重壁を介して下ケースに加わり、荷重が分散され、軽量で必要な強度を確保する吸込具及びこれを用いた電気掃除機を得ることができる。
【符号の説明】
【００６０】
１  電気掃除機、２  電気掃除機本体、３  ホース、３ａ  手元部、３ｂ  操作部、
４  パイプ、５  吸込具、６  本体ケース、６１  上ケース、６１ａ  第１のリブ、
６１ａ１  補強リブ、６１ｂ  第２のリブ、６１ｂ１  爪部、６１ｃ  切込み部、
６１ｄ、６１ｅ、６１ｆ、６１ｇ  ボス、
６１ｈ、第１の冷却用孔、６１ｉ  第２の冷却用孔、６２  下ケース、
６２ａ、６２ｂ  受け部、
６２ｃ  吸込口、６２ｄ  第１の被係止部、６２ｄ１  側部被係止部、
６２ｄ２  底部被係止部、６２ｅ  第２の被係止部、６２ｅ１  孔部、
６２ｆ  制御部収容部、６２ｇ  ブラシモーター収容部、６２ｈ  円筒部収容部、
６２ｉ  リード線渡し部、６２ｊ、６２ｋ、６２Ｌ、６２ｍ  ボス、６２１  バンパー、
６２２、６２２ａ、６２２ｂ、６２２ｃ、６２２ｄ、６２２ｅ  垂下部、
６２３  二重壁、６２４  仕切り部、６３  基板ホルダー、６３ａ  ブラシモーター、
６３ｂ  回転軸、６３ｃ  制御部、６３ｄ  軟質カバー、６４  回転ブラシ、
６４ａ、６４ｂ  軸受部、６５  軸受ＢＯＸ、６５ａ  軸受部、
６６ａ、６６ｂ  回転ブラシカバー、１０  接続管、１１  回動管、
１１ａ、１１ｂ  軸部、１１ｃ  円筒部、１１ｄ  直管部、１１ｅ  フランジ部、
１２０  継手管、１２１  パイプ接続部、１２１ａ  開口、１２２  回動管接続部、
１２３ａ  内筒部、１２３ｂ  外筒部、１２４ａ、１２４ｂ  側壁、１２５  立壁、
１２５ａ、１２５ｂ  端子孔（継手管引込口）、１２６  底面、
１２７  リード線規制リブ、１２７ａ、１２７ｂ  リード線保持部、
１２８  継手管引出口、１３０、１３０ａ、１３０ｂ  リード線、
１３１ａ、１３１ｂ  端子、１４０  リード線収容部、１５０  継手管カバー、
１５１  前端部、１５２ａ、１５２ｂ  側部、１５３ａ、１５３ｂ  側辺部、
１５３ｃ  上辺部。
【図１】
0005831337.tif 000002
【図２】
0005831337.tif 000003
【図３】
0005831337.tif 000004
【図４】
0005831337.tif 000005
【図５】
0005831337.tif 000006
【図６】
0005831337.tif 000007
【図７】
0005831337.tif 000008
【図８】
0005831337.tif 000009
【図９】
0005831337.tif 000010
【図１０】
0005831337.tif 000011
【図１１】
0005831337.tif 000012
【図１２】
0005831337.tif 000013
【図１３】
0005831337.tif 000014
【図１４】
0005831337.tif 000015
【図１５】
0005831337.tif 000016